(57)【要約】【課題】スリット１３の開きを効果的に防止すると共に、その製造も容易なスタビライザブッシュ１を提供する。【解決手段】スタビライザブッシュ１は、スタビライザ２１が貫通配置される貫通孔１１を有する筒状の本体部１を備える。本体部１には、スリット１３が本体部１の外周面から貫通孔１１の内周面まで連続すると共に、貫通孔１１の中心軸Ｘ方向に本体部１の全域に亘って延びて形成される。スリット１３は、外周面から内周面に向かう方向が貫通孔１１の中心を通らない方向に設定されていると共に、貫通孔１１の中心軸Ｘに平行に延びて形成されている。【選択図】図１
2011148347.tif 000002
【特許請求の範囲】
【請求項１】
スタビライザを車体に対して弾性支持するスタビライザブッシュであって、
前記スタビライザが貫通配置される貫通孔を有する筒状の本体部を備え、
前記本体部には、前記スタビライザ取付用のスリットが、前記本体部の外周面から内周面まで連続すると共に、前記貫通孔の中心軸方向に前記本体部の全域に亘って延びて形成され、
前記スリットは、前記外周面から前記内周面に向かう方向が前記貫通孔の中心を通らない方向に設定されていると共に、前記貫通孔の中心軸に平行に延びて形成されているスタビライザブッシュ。
【請求項２】
請求項１に記載のスタビライザブッシュにおいて、
前記スリットは、前記本体部が車体に取り付けられて車幅方向に延びる前記スタビライザを弾性支持した状態において、前記貫通孔の中心に対し、当該中心軸方向に直交する上下方向及び前後方向のそれぞれに対して位置をずらして形成されているスタビライザブッシュ。
【請求項３】
請求項１又は２に記載のスタビライザブッシュにおいて、
前記本体部は、車体部材と、当該車体部材に取付固定されるクランプとに挟持されることによって前記車体に取り付けられ、
前記本体部は、前記貫通孔の中心軸を挟んだ前記車体部材側の部位が相対的に厚肉に、前記クランプ側の部位が相対的に薄肉に構成されており、
前記スリットは、前記車体部材側の部位と前記クランプ側の部位との内、前記車体部材側の部位に形成されているスタビライザブッシュ。
【発明の詳細な説明】
【技術分野】
【０００１】
ここに開示する技術は、スタビライザを車体に対し弾性支持するためのスタビライザブッシュに関する。
【背景技術】
【０００２】
車体のロール特性を制御するためのトーションバースプリングであるスタビライザは、弾性体からなるスタビライザブッシュによって、その中間部が車体に対して弾性支持される。スタビライザブッシュは、一般的には、車幅方向に延びるスタビライザの中間部が貫通配置される貫通孔を有する筒状であり、車体部材と、当該車体部材に取付固定されるクランプとに挟持されることによって車体に対して取り付けられる。
【０００３】
ここで、スタビライザブッシュには、前記貫通孔の内周面からブッシュ外周面まで連続してかつ、当該ブッシュの孔軸方向の全域に亘って延びる、切れ口としてのスリットが形成されており、このスリットを開いて、前記スタビライザを前記貫通孔内に内挿することになる。
【０００４】
このように構成されるスタビライザの支持構造においては、そのスタビライザの組み付け状態において、前記スタビライザブッシュのスリットが比較的大きく開いてしまう場合がある。また、車両の走行に伴い、スタビライザブッシュへの荷重入力が繰り返されることによって、前記スタビライザブッシュのスリットが次第に開いてしまう場合もある。スリットが比較的大きく開いてしまった場合は、例えば車両の走行中に、スタビライザがそのスリットの方向に大きく移動してしまい、ロール特性の制御効果の低下や、スタビライザと例えば車体部材やクランプ等とが互いに接触してしまう、いわゆるメタルタッチを生じ得る。
【０００５】
そこで従来より、そうしたスリットの開きを防止する観点から、スリットを、貫通孔の孔軸に対して交差するように、その孔軸方向に対して斜めに延びて形成したり（例えば特許文献１参照）、これとは逆に、スリットはブッシュの軸方向に真っ直ぐに形成する一方で、貫通孔を、そのスリットに対して交差するように斜めに形成したり（例えば特許文献２参照）する対策が提案されている。
【０００６】
尚、例えば特許文献３，４に記載されているように、スリットが形成されたブッシュにおいて、スリットを挟んだ両側が軸方向にずれてしまうことを防止する観点から、スリットを軸方向に対してジグザグに形成したりすることも提案されている。
【先行技術文献】
【特許文献】
【０００７】
【特許文献１】特開平７−２０５６３２号公報
【特許文献２】特開平７−２６６８３５号公報
【特許文献３】特開平９−２６９０２８号公報
【特許文献４】特開２０００−４６０５５号公報
【発明の概要】
【発明が解決しようとする課題】
【０００８】
ところが、本願発明者らが検討したところ、前記の特許文献に記載されたブッシュにおいてもスリットの開きを防止する効果は十分でなく、メタルタッチが発生し得ることが判明した。また、前記の特許文献に記載されたブッシュのように、貫通孔の孔軸とスリットとが互いに平行ではない構成は、成形型から取り出したブッシュに対し、例えばカッター等によって切れ目を入れてスリットを別途形成しなければならず、工数の増大により、その製造が煩雑になるという不都合もある。
【０００９】
ここに開示する技術は、かかる点に鑑みてなされたものであり、その目的とするところは、スリットの開きを効果的に防止すると共に、その製造も容易なスタビライザブッシュを提供することにある。
【課題を解決するための手段】
【００１０】
スリットの形成に関係してスタビライザブッシュの製造を容易にする上では、貫通孔の孔軸とスリットとを互いに平行にすることが望ましい。なぜなら、こうした貫通孔を有するスタビライザブッシュの成形は、その貫通孔を形成するための心棒を用いて行われ、型開き後にその心棒から成形品を抜く（実際は、心棒を動かして成形品から抜く）ようにされるが、心棒に対してカッターを固定しておけば、心棒を成形品から抜くと同時にカッターによって成形品を切断してスリットを形成することが可能になるためである。この場合スリットは、心棒の軸方向、つまり貫通孔の孔軸に平行にしかならない。
【００１１】
そこで、ブッシュ製造の容易化の観点から、スリットを貫通孔の中心軸に平行に形成することを前提に、本願発明者らがスリットの開き防止について検討を重ねたところ、スリットの、ブッシュ外周面から内周面に向かう方向が、その貫通孔の中心を通らない方向に設定した場合に、スリットの開きが効果的に防止される点を見出し、本願発明を完成するに至ったものである。
【００１２】
具体的に、ここに開示するスタビライザブッシュは、スタビライザを車体に対して弾性支持するスタビライザブッシュであって、前記スタビライザが貫通配置される貫通孔を有する筒状の本体部を備える。
【００１３】
そして、前記本体部には、前記スタビライザ取付用のスリットが、前記本体部の外周面から内周面まで連続すると共に、前記貫通孔の中心軸方向に前記本体部の全域に亘って延びて形成され、前記スリットは、前記外周面から前記内周面に向かう方向が前記貫通孔の中心を通らない方向に設定されていると共に、前記貫通孔の中心軸に平行に延びて形成されている。
【００１４】
本願発明者の検討によれば、スタビライザブッシュに弾性支持されたスタビライザは、車両の停止状態では、スタビライザの軸心とブッシュの貫通孔の中心軸とが一致した初期状態となっている一方で、車両の走行中は、その初期状態から上下、前後のあらゆる方向に移動し得るようになる。つまり、スタビライザは、ブッシュの貫通孔の中心軸に対し放射状に移動をし得る。
【００１５】
これに対し、ブッシュのスリットの、ブッシュ外周面から内周面に向かう方向を、仮に貫通孔の中心を通る方向に設定したと仮定する。この場合は、前述したようにブッシュの貫通孔の中心軸に対し放射状にスタビライザが移動をし得ることから、当該スタビライザが前記スリットの形成位置の方向に移動をしたときに、当該スリットの形成部分が圧縮されるに伴いスリットの間を広げる力が作用するようになる。こうしたことが繰り返されることにより、スリットの方向を貫通孔の中心を通る方向に設定したときには、スリットが次第に開いてしまうと考えられる。
【００１６】
そこで、前記の構成では、スリットの、ブッシュ外周面から内周面に向かう方向が貫通孔の中心を通らない方向に設定する。こうすることで、スタビライザが、スリットの形成位置の方向に移動をして当該スリットの形成部分が圧縮されても、スリットの間が広がることが抑制乃至防止される。その結果、スリットの開きが効果的に防止される。それと共に、当該スリットは貫通孔の中心軸に平行に延びて形成されていることで、前述したように、スタビライザブッシュの製造は簡略化し得る。
【００１７】
前記スリットは、前記本体部が車体に取り付けられて車幅方向に延びる前記スタビライザを弾性支持した状態において、前記貫通孔の中心に対し、当該中心軸方向に直交する上下方向及び前後方向のそれぞれに対して位置をずらして形成されている、としてもよい。
【００１８】
前述した、スリットのブッシュ外周面から内周面に向かう方向を貫通孔の中心を通らない方向に設定することと、そのスリットの形成位置、詳しくは、貫通孔の周方向に対する形成位置を、スタビライザブッシュの車体取付状態において、貫通孔の中心軸方向に直交する上下方向及び前後方向のそれぞれの方向に対してずらすことと、を組み合わせることによって、スリットの開きをより効果的に防止し得る。また、本願発明者らの知見によると、スリットの位置をずらすことは、スタビライザブッシュを組み付けた当初のスリットの開きを抑制し得る。
【００１９】
前記本体部は、車体部材と、当該車体部材に取付固定されるクランプとに挟持されることによって前記車体に取り付けられ、前記本体部は、前記貫通孔の中心軸を挟んだ前記車体部材側の部位が相対的に厚肉に、前記クランプ側の部位が相対的に薄肉に構成されており、前記スリットは、前記車体部材側の部位と前記クランプ側の部位との内、前記車体部材側の部位に形成されている、としてもよい。
【００２０】
この構成によると、スリットを、相対的に厚肉の部位に形成していることで、スタビライザがスリット位置の方向に移動をしたときに、そのスリット形成部位の圧縮変形が抑制され、スリットの間が広がることを、より一層、抑制乃至防止し得る。その結果、スリットの開きをより一層効果的に防止し得る。
【発明の効果】
【００２１】
以上説明したように、前記のスタビライザブッシュは、そこに形成するスリットの、ブッシュ外周面から内周面に向かう方向を、貫通孔の中心を通らない方向に設定することによって、貫通孔の中心軸に対して放射状に移動し得るスタビライザが、スリットの形成位置の方向に移動をしても、スリットの間が広がることが抑制乃至防止され、スリットの開きを効果的に防止することができる。それと共に、前記スリットは貫通孔の中心軸に平行に延びて形成されていることで、その製造に際しては、成形型からの取り出しと同時に本体部にスリットを形成することが可能になり、スタビライザブッシュの製造を簡略化することができる。
【図面の簡単な説明】
【００２２】
【図１】スタビライザブッシュの斜視図である。
【図２】スタビライザの支持状態を示す概略斜視図である。
【図３】スタビライザブッシュの正面図である。
【図４】スタビライザブッシュの側面図である。
【図５】スタビライザブッシュの底面図である。
【図６】図１等に示すスタビライザブッシュを用いたスタビライザの支持状態を示す正面図である。
【図７】比較例に係るスタビライザブッシュを用いたスタビライザの支持状態を示す図６対応図である。
【図８】スタビライザブッシュの別の構成を示す正面図である。
【図９】スタビライザブッシュのさらに別の構成を示す正面図である。
【図１０】スタビライザブッシュのさらに別の構成を示す正面図である。
【図１１】スタビライザブッシュのさらに別の構成を示す正面図である。
【発明を実施するための形態】
【００２３】
以下、スタビライザブッシュの実施形態を図面に基づいて説明する。尚、以下の好ましい実施形態の説明は、本質的に例示に過ぎない。図１は、スタビライザ２１を車体に対し弾性支持するためのスタビライザブッシュ１を示している。スタビライザブッシュ１は、図２に示すように、概ね車幅方向に延びて配設されるスタビライザ２１の中間部が貫通配置される貫通孔１１を有する筒状の本体部を有し、この本体部は、所定のゴム弾性体によって構成されている。尚、以下においては、スタビライザブッシュ１と、その「本体部」とを区別することなく、単に、スタビライザブッシュ１と呼ぶ。スタビライザブッシュ１は、スタビライザ２１が貫通孔１１内に貫通配置された状態で、車体部材２２と、この車体部材２２に対してボルト（図示省略）により固定されるクランプ２３とに挟持されることで車体に対し取り付けられ、これによって、スタビライザ２１を弾性支持する。ここでクランプ２３は、より詳細には、スタビライザブッシュ１の外周面に当接する概略半円形状の当接部２３１と、この当接部２３１の両端に連続すると共に、前記車体部材２２に対してボルトを介して固定されるブラケット部２３２とを備えて構成されている。尚、以下の説明においては、その説明の便宜上、スタビライザ２１を車体に対して組み付けた姿勢を基準にして、図２における上下方向を「上下方向」、左手前から右奥方向を「車幅方向」、右手前から左奥方向を「（車体の）前後方向」と呼ぶ場合がある。
【００２４】
スタビライザブッシュ１は、図３〜５にさらに詳細に示すように、スタビライザ２１の軸方向、つまり車幅方向（図４における左右方向、図５における上下方向に対応する）に所定長さを有する筒状であって、図３に端的に示されるように、その正面視では、前後方向に相対する車体部材２２及びクランプ２３の内の、車体部材２２側に位置する、概ね直線状の外周面（つまり、図３における下側の面、以下、この外周面を特に、車体部材側外周面と呼ぶ場合がある）と、前記クランプ２３側に位置しかつ、横断面円形状である前記貫通孔１１に沿った半円状の外周面及びこの半円の各端と前記車体部材側外周面の各端とを互いに連結する直線状の外周面からなる、全体として概ねＵ字状となった外周面（つまり、図３における上側及び両側の面、以下、この外周面を特に、クランプ側外周面と呼ぶ場合がある）と、を有している。これによりスタビライザブッシュ１は、全体としては、概略かまぼこ形状を有している。前述したように、貫通孔１１は横断面円形状であることから、前記クランプ側外周面は、この円形状の貫通孔１１に沿うような外周面であるのに対し、前記車体部材側外周面は、この円形状の貫通孔１１に沿わない外周面である、ということができる。また、スタビライザブッシュ１は、その肉厚が周方向に一定ではない、ということができ、貫通孔１１の中心軸Ｘを挟んだクランプ側の部位、つまり図３における上側の部位は、相対的に薄肉になるのに対し、貫通孔１１の中心軸Ｘを挟んだ車体部材側の部位、つまり図３における下側の部位は、相対的に厚肉になる。特に直線状の車体部材側外周面とＵ字状のクランプ側外周面との接続部分である、図３における下部の左右の隅部近傍の部位は、スタビライザブッシュ１において最も厚肉の部位となる。
【００２５】
前記クランプ側外周面にはまた、図４等に示すように、スタビライザブッシュ１の径方向内方に向かって凹陥した凹溝１２が、当該Ｕ字状の外周面に沿うように延びて形成されている。凹溝１２はまた、スタビライザブッシュ１の軸方向（つまり、車幅方向）に２つ並んで形成されている。一方、クランプ２３の当接部２３１は、その詳細な図示は省略するが、この凹溝１２を有するクランプ側外周面に対して凹凸係合するように、その断面が車幅方向に延びる波形に形成されており、スタビライザブッシュ１の凹溝１２と断面波形の当接部２３１との凹凸係合によって、車体部材２２に対して取り付けたスタビライザブッシュ１が、スタビライザ２１の軸方向に移動してしまうことを抑制乃至防止するようにしている。
【００２６】
そうしてこのスタビライザブッシュ１には、当該ブッシュ１をスタビライザ２１の中間部に嵌着させるために、換言すればスタビライザ２１の中間部を貫通孔１１内に挿入するための切れ口としてのスリット１３が形成されている。
【００２７】
このスリット１３は、スタビライザブッシュ１の外周面、具体的には車体部材側外周面からブッシュ１の内周面まで連続して形成されて、前記外周面及び内周面にそれぞれ開口して筒状のスタビライザブッシュ１の内外を連通させると共に、ブッシュ１の軸方向については、図５に示すように、スタビライザブッシュ１の全域に亘って延びて形成されている。これにより、スタビライザブッシュ１をスタビライザ２１の中間部に対して嵌着させるときには、このスリット１３を開いて貫通孔１１内をブッシュ１の径方向に開放した上で、スタビライザ２１の中間部を、その開いたスリット１３を通じて貫通孔１１内に挿入することになる。
【００２８】
このスリット１３の形状及び、スタビライザブッシュ１における形成位置に関して、図を参照しながら、さらに詳細に説明をする。図２，３に示すように、スリット１３は、スタビライザブッシュ１を車体部材２２に対して取り付けた状態において、貫通孔１１の中心（つまり、中心軸Ｘ）に対して上下方向に位置をずらして形成されている。尚、上下方向に位置をずらすことに伴い、スリット１３は前後方向にも位置がずれることになる。それと共に、ブッシュ１の外周面から内周面に向かう方向が、前後方向となるように設定されている。これによって、図３に示すように、スリット１３の、ブッシュ１の外周面から内周面に向かう方向が、貫通孔１１の中心を通らない方向に設定されている。換言すれば、中心軸Ｘに対して図３の右側に位置ずれしたスリット１３が、図３の上下方向に延びており、スリット１３の延長線は中心軸Ｘを通らない。このスリット１３はまた、スタビライザブッシュ１の、車体部材側の部位（つまり、図３における下部）における左右の隅部近傍の部位に形成されているため、スタビライザブッシュ１において最も厚肉の部位の付近に形成されていることになる。
【００２９】
そうしてこのスリット１３は、図５に示すように、スタビライザブッシュ１の軸方向に対しては、貫通孔１１の中心軸方向に対し平行となるように、軸方向に真っ直ぐに延びて形成されている。
【００３０】
ここで、前記構成のスタビライザブッシュ１の製造方法について簡単に説明すると、このスタビライザブッシュ１はゴム弾性体から構成されるため、所定の成形型を用いた加硫成形により製造することが可能である。具体的にスタビライザブッシュ１は筒状であるため、前記貫通孔１１の形成のための心棒と、それを囲むような半割の成形型とを用いて成形可能である。ここで、心棒の軸方向に複数のスタビライザブッシュ１が同時に成形されるようにしてもよい。
【００３１】
成形後の取り出しの際には、半割の成形型を開くと共に、心棒を成形品から抜く必要があるが、この心棒の端部に対する所定の周方向位置に、所定の向きでカッターを取付固定しておくことにより、心棒の抜き取りと同時に、カッターによって成形品の所定箇所を切断して切れ口、つまりスリット１３を形成することが可能になる。前記構成のスタビライザブッシュ１は、スリット１３をスタビライザブッシュ１の貫通孔１１の中心軸Ｘに対し平行に真っ直ぐに形成していることによって、型抜きと同時にスリット１３を形成することが可能になり、その製造を簡略化することができる。特に前述したように、心棒の軸方向に複数のスタビライザブッシュ１を同時に成形する構成においては、心棒の抜き取りに伴い、スタビライザブッシュ１の各々に対して、スリット１３が順次形成されることになり効率的である。
【００３２】
そうして、前述した特徴を有するスリット１３を備えたスタビライザブッシュ１は、従来のスタビライザブッシュと比較して、スリット１３の開きを抑制することができる。このことについて、図６，７を参照しながら説明する。図６は、本実施形態に係るスタビライザブッシュ１によってスタビライザ２１を支持した状態を示す正面図である。ここで、スタビライザブッシュ１に弾性支持されたスタビライザ２１は、車両の停止状態では、スタビライザ２１の軸心とブッシュの貫通孔１１の中心軸Ｘとが一致した初期状態となっている一方で、車両の走行中は、スタビライザ２１に入力される負荷に応じて、その初期状態から、上下及び前後を含む、あらゆる方向に移動し得るようになる。つまり、スタビライザ２１は、図６に矢印で示すように、ブッシュ１の貫通孔１１の中心軸Ｘに対して放射状に移動をし得る。
【００３３】
ここで、図７に示すように、スタビライザブッシュ１０のスリット１３０の、ブッシュ外周面から内周面に向かう方向を、貫通孔１１の中心に対し放射方向となるようにすることで、スリット１３０の方向を貫通孔１１の中心を通る方向に設定したときを考える。このスリット１３０はまた、スタビライザブッシュ１における車体部材側の部位の隅部近傍に形成しており、貫通孔１１の中心に対して上下方向及び前後方向に位置がずれている。尚、図示を省略するが、スリット１３０は、貫通孔１１の中心軸Ｘに対し平行に延びて形成されているものとする。
【００３４】
前述したように、スタビライザ２１は、ブッシュ１０の貫通孔１１の中心に対し放射状に移動をすることから、当該スタビライザ２１が、前記スリットの形成位置の方向（図７においては、斜め左上の方向）に移動をしたときには、スタビライザブッシュ１０におけるスリット１３の形成部位が圧縮されるに伴い、図７に矢印で示すようにスリット１３０の間を広げるような力が作用して、仮想線で示すようにスリット１３０の間が広がるようになる。このようなスタビライザ２１の移動が繰り返されることにより、スリット１３０は次第に開いてしまう。つまり、スリット１３０の方向を貫通孔１１の中心を通る方向に設定したときには、スリット１３０は次第に開いてしまい、スタビライザ２１がそのスリット１３０の方向に移動し易くなって、ロール特性の制御効果の低下や、メタルタッチが生じ得る。尚、図示は省略するが、スリットの周方向に対する形成位置を、図７とは異なる位置に設定した場合であっても、そのスリットの方向を貫通孔１１の中心を通る方向に設定したときには、前記と同様の理由により、スリットは次第に開いてしまう。
【００３５】
これに対し、前記のスタビライザブッシュ１は、図６に示すように、スリット１３は、ブッシュ外周面から内周面に向かう方向が、貫通孔１１の中心を通らない方向に設定されている。このことにより、スタビライザ２１が、スリット１３の形成位置の方向に、貫通孔１１の中心に対して放射状に移動をして当該部分が圧縮されても、スリット１３の間を広げるような力が作用せず、スリット１３の間が広がることが抑制乃至防止される。スリット１３の開きが効果的に防止される結果、スタビライザ２１によるロール特性の制御効果が、長期間に亘って安定して得られると共に、メタルタッチ等の不具合を確実に回避し得る。
【００３６】
また、前記のスリット１３は、スタビライザブッシュ１の車体取付状態において、貫通孔１１の中心に対して上下方向及び前後方向に位置をずらして形成されており、このことと、スリット１３の、ブッシュの外周面から内周面に向かう方向が貫通孔１１の中心を通らない方向に設定されていることとが組み合わさることによって、スリット１３の開きがより効果的に防止され得る。さらに、前記のスリット１３を、貫通孔１１の中心に対し上下及び前後方向に位置をずらして形成することは、スタビライザ２１を組み付けた当初のスリット１３の開きをも抑制し得るとの知見が得られた。このこともまた、スリット１３の開きを、経時的に抑制乃至防止する上で有利になる。尚、スリット１３の位置ずれ方向は、スタビライザブッシュ１の組み付け状態において、貫通孔１１の中心を基準とした上方向及び下方向のいずれであってもよい。
【００３７】
さらに、前記のスリット１３は、前述したように、貫通孔１１の中心軸Ｘを挟んだ、車体部材側の部位であって、スタビライザブッシュ１において最も厚肉の部位の付近に形成されている。このことにより、スタビライザ２１が、スリット１３の形成位置の方向に移動をしたときに、スタビライザブッシュ１のスリット形成部分の圧縮変形が抑制されるため、スリット１３の間が広がることがより一層、抑制乃至防止される。その結果、スリット１３の開きを、より一層効果的に防止し得る。
【００３８】
ここで、図３に破線で示すように、スリット１３の延びる方向に相当する直線と、当該スリット１３のブッシュ内周面の開口位置と貫通孔中心とを結ぶ直線と、のなす角度θと、スリット１３の開き抑制効果との関係について検討する。例えばスリット１３が前後方向に延びる場合においては、そのスリット１３が、貫通孔１１の中心に対する上下方向のずれ量が小さいほど角度θは小さくなり（つまり、ずれ量が０（ゼロ）で角度θも０）、前記ずれ量が大きいほど角度θは大きくなる。これに対し、スタビライザ２１が、スリットの形成位置の方向に移動をしたときに、スリット１３の間を広げるような力は、前記角度θが小さいほど大きくなり、前記角度θが大きいほど小さくなると考えられる。そうすると、前後方向に延びるスリット１３は、図３に示すように、貫通孔１１の中心に対する上下方向のずれ量を大きくすることが、スリット１３の開きを抑制する効果が高く、好ましい。尚、図示は省略するが、スリット１３を最大限ずらして、当該スリット１３が、貫通孔１１の接線と等しくなるようにしてもよい。またこうして、スリット１３のずれ量を大きくすることは同時に、スリット１３を、スタビライザブッシュ１における相対的に厚肉の部位に形成することにもなるのである。
【００３９】
このようにスリット１３の開きを防止しつつも、前述したように、スリット１３を貫通孔１１の中心軸Ｘに平行に延びて形成していることで、スリット１３の形成を型からの取り出しと同時に行うことができるから、工程数の低減により、スタビライザブッシュ１の製造を簡略化し得る。
【００４０】
尚、スリットの開きを防止する上で効果的なスリットの形状及び形成位置は、前記図３に示すものには限定されない。例えば図８〜１１に例示するような形状及び／又は形成位置としてもよい。尚、図８〜１１では、ブッシュの正面図のみを図示しているが、そこに形成されているスリット１３１〜１３４は、中心軸Ｘに対して平行に延びているものとする。スリット１３１は、そのスタビライザブッシュ１０１の外周面から内周面に向かう方向を、前後方向又は上下方向に対して傾くようにしてもよい。この場合、スリット１３１は、貫通孔１１の中心に対して上下方向に同じ位置になる（つまり、位置ずれしない）ものの、スリット１３１の方向は、貫通孔１１の中心を通らない方向に設定されるため、スリット１３１の開きは、前記と同様に抑制乃至防止され得る。また、図９に示すスタビライザブッシュ１０２のように、スリット１３２の方向を、前後方向又は上下方向に対して傾けつつ、スリット１３２を、貫通孔１１の中心に対して上下方向及び前後方向に位置をずらしてもよい。ここで、スリット１３２の上下方向又は前後方向に対する傾き方向は、前述した角度θが大きくなる方向に設定することが好ましい。従って、スリット１３２の、ブッシュ外周面から内周面に向かう方向は、貫通孔１１の中心に近づく方向ではなく、図９に示すように、中心から離れるような方向とすることが好ましい。
【００４１】
さらに、図１０に示すように、スリット１３３は、スタビライザブッシュ１０３の車体部材側外周面に開口するのではなく、クランプ側外周面に開口するようにしてもよい。つまり、このスタビライザブッシュ１０３では、貫通孔１１の中心に対して前後方向及び上下方向に位置をずらしてスリット１３３を形成していると共に、そのスリット１３３の、ブッシュ１の外周面（具体的にはクランプ側外周面）から内周面に向かう方向が、上下方向となるように設定されている。このスタビライザブッシュ１０３でも、スリット１３３の方向が貫通孔１１の中心を通らない方向に設定されており、スリット１３３の開きを抑制乃至防止する上で有効である。但し前述したように、フランジ側外周面には２つの凹溝１２，１２が形成されているため、このスリット１３３は、スタビライザブッシュ１０３において、軸方向（つまり、車幅方向）に肉厚が変化する箇所に形成されることになる。
【００４２】
さらに、図１１に示すように、スリット１３４は、スタビライザブッシュ１０４における、貫通孔１１の中心軸Ｘを挟んだクランプ側の部位に形成してもよい。この場合においても、スリット１３４の方向を、前述したように、貫通孔１１の中心を通らない方向に設定することで、スリット１３４の開きを効果的に抑制乃至防止することができる。
【００４３】
加えて、図示は省略するが、図３，８〜１１の各スタビライザブッシュ１，１０１〜１０４のスリット１３，１３１〜１３４が有する各特徴を、可能な範囲で適宜組み合わせてもよい。
【００４４】
尚、スタビライザブッシュ（本体部）の形状に特に限定はなく、ここに開示する技術は、貫通孔１１を有する筒状のスタビライザブッシュに広く適用することが可能である。
【産業上の利用可能性】
【００４５】
以上説明したように、ここに開示したスタビライザブッシュは、スリットの開きを防止しつつ、その製造が容易である点で有用である。
【符号の説明】
【００４６】
１    スタビライザブッシュ（本体部）
１０１〜１０４  スタビライザブッシュ（本体部）
１１  貫通孔
１３  スリット
１３１〜１３４  スリット
２１    スタビライザ
２２  車体部材
２３  クランプ
Ｘ    中心軸
【図１】
2011148347.tif 000003
【図２】
2011148347.tif 000004
【図３】
2011148347.tif 000005
【図４】
2011148347.tif 000006
【図５】
2011148347.tif 000007
【図６】
2011148347.tif 000008
【図７】
2011148347.tif 000009
【図８】
2011148347.tif 000010
【図９】
2011148347.tif 000011
【図１０】
2011148347.tif 000012
【図１１】
2011148347.tif 000013